(57)【特許請求の範囲】
【請求項１】
上部に注出筒を設けたキャップと、注出筒に被嵌され注出口を開閉する閉蓋筒と、キャップ上面に配設され、閉蓋筒を上下動させる操作部材とを備えた注出容器であって、
前記閉蓋筒は、その外周面下端に外方に突出する突出ピンを具備し、
前記注出筒は、下端外周面にガイド溝を形成し、
前記操作部材は、側板と、該側板の両端に形成され操作部材を左右動させる押圧板とを具備し、側板の下端には、前記注出筒のガイド溝に係合する摺動板が設けられ、側板の内側面には、前記突出ピンに係合する傾斜ガイドが設けられていることを特徴とする内容液注出容器。
【請求項２】
操作部材には、摺動板の側縁に注出筒のガイド溝の溝底面に沿って摺動する直線縁と、ストロークエンドにおいて注出筒外周面に遊嵌される円弧縁とを設けたことを特徴とする請求項１記載の内容液注出容器。
【発明の詳細な説明】
【０００１】
【発明の属する技術分野】
本発明は、キャップに立設した注出筒に閉蓋筒を被嵌した容器に関する。
【０００２】
【従来の技術】
キャップの上部に立設した注出筒に上下動可能の閉蓋筒を被嵌し、閉蓋筒を上下動操作することによって注出口を開閉するようにした注出容器は、従来より周知である。
【０００３】
【発明が解決しようとする課題】
上記従来の注出容器は、主として家庭用洗剤、化粧料等の注出容器として使用されてきたが、注出時に液だれした内容物が閉蓋筒の表面にも付着し、長期に渡って使用していると表面が汚れ、閉蓋筒を操作するときに手が汚れるという問題があった。
【０００４】
また、最近上記注出容器が、飲料用の注出容器として直接注出口から吸飲するようにして使用されるようになっているが、その際、手が汚れているときには、汚れた手指で閉蓋筒に触れることになり、手指の塵埃、雑菌等が閉蓋筒表面に付着し、衛生上よくないという問題が生じてきた。
【０００５】
本発明は、前記各問題点を解決することを技術的課題とし、キャップに立設した注出筒に被嵌される閉蓋筒を備えた注出容器において、閉蓋筒に触れずに注出口を開閉するようにした容器を提供することを目的とする。
【０００６】
【課題を解決するための手段】
本発明は、上記の問題点を解決するため、注出容器として、上部に注出筒を設けたキャップと、注出筒に被嵌され注出口を開閉する閉蓋筒と、キャップ上面に配設され、閉蓋筒を上下動させる操作部材とを備えた注出容器であって、前記閉蓋筒は、その外周面下端に外方に突出する突出ピンを具備し、前記注出筒は、下端外周面にガイド溝を形成し、前記操作部材は、側板と、該側板の両端に形成され操作部材を左右動させる押圧板とを具備し、側板の下端には、前記注出筒のガイド溝に係合する摺動板が設けられ、側板の内側面には、前記突出ピンに係合する傾斜ガイドが設けられていることを特徴とする構成を採用する。
【０００７】
また、注出時に開口状態を維持するため、操作部材には、摺動板の側縁に注出筒のガイド溝の溝底面に沿って摺動する直線縁と、ストロークエンドにおいて注出筒外周面に遊嵌される円弧縁とを設けたことを特徴とする構成を付加する。
【０００８】
【発明の実施の形態】
次に、本発明の実施形態について図面を参照して説明する。
図１において、Ａは内容液が収納された容器であり、ＰＥＴ，ポリエチレンその他の合成樹脂を素材として成形されている。
Ｂはキャップ、Ｃはキャップに被嵌された閉蓋筒、Ｄは該閉蓋筒を上下動させる操作部材であって、いずれもポリエチレンその他の合成樹脂を素材として成形されている。
【０００９】
図２〜３に示すように、容器Ａは、容器胴部１と容器口部２とからなり、容器口部２には、ネジ３が形成されている。
キャップＢは、嵌着筒４と上壁５、該上壁５の上面に立設された注出筒６とからなり、嵌着筒４の内周には、前記容器口部２のネジ３に螺合するネジ７が設けられている。
【００１０】
前記注出筒６は、上壁５から上方に延びるように立設されており、その側筒壁８は、下部の拡径部９と上部の縮径部１０とからなり、側筒壁８上端外周には係合突条１１が形成されている。
注出筒６の上端には、側筒壁８内周から延びる複数の支持杆１２によって円形の栓部材１３が取着されており、栓部材１３と側筒壁８内周との間に内容液の注出流路１４が形成されている。
注出筒６の下端基部に、図４に示すように、側筒壁８下端部外周に前記操作部材Ｄを所定の方向に案内するため、円周の一部を削除した断面弓形の一対のガイド溝１５が軸心に対して対称に設けられている。
【００１１】
次に、閉蓋筒Ｃについて、図４を参照して説明する。
閉蓋筒Ｃは、頂壁２０と側筒壁２１とからなり、頂壁２０の中央には、前記栓部材１３に嵌合する開口２２が設けられている。
該開口２２は、閉蓋筒Ｃを上昇させたときには、図６に示すように前記注出流路１４に連続する内容液の注出口Ｘを形成し、容器の注出口は開口状態となる。開口２２の下部には段部２３が形成され、注出筒６上端に係合して閉蓋筒Ｃを所定の位置に保持する。
【００１２】
側筒壁２１の上端外周には、外方に突出する環状の膨出部２４が設けられており、下端部には一対の突出ピン２５が軸心に対して対称に突設されている。
側筒壁２１の内周には、注出口Ｘの封鎖時に前記側筒壁８の拡径部９上端に接合し、開口時に係合突条１１に係合して閉蓋筒Ｃの抜け落ちを防止するよう係止突条２６が設けられている。
前記段部２３と側筒壁２１下端の長さは、注出筒６の側筒壁８の長さからガイド溝１５の上下巾を引いた長さに等しくしている。
【００１３】
次に、操作部材Ｄについて、図５を参照して説明する。
図に示すように、操作部材Ｄは、前後に対向して設けられた一対の側板３０（ａ，ｂ）と、左右に対向して設けられた一対の押圧板３１（ａ，ｂ）とを備えており、その上面の左右の一定範囲は、側板３０と押圧板３１の上端から延び、内側を円弧縁３２（ａ，ｂ）とした天板３３（ａ，ｂ）によって覆われている。
【００１４】
側板３０（ａ，ｂ）の内側面３４（ａ，ｂ）の中央部には、傾斜ガイド３５（ａ，ｂ）が穿設されており、上端に開口する垂直部３６と該垂直部３６から下方に傾斜して延びる傾斜部３７とを具えている。
それぞれの側板３０（ａ，ｂ）の下端には、内方に突出する摺動板３８（ａ，ｂ）が形成されている。
該摺動板３８（ａ，ｂ）の内側縁は、直線縁３９と円弧縁４０とからなり、該円弧縁４０は、傾斜ガイド３５の垂直部３６に対応して位置しており、円弧縁４０の円弧中心は、垂直部３６の中心を結ぶ線ａ−ａと線Ａ−Ａとの交点にあり、その径は、側筒壁８下端の外周面に遊嵌するよう外周円の径とほぼ等しくしている。
【００１５】
前後の摺動板３８（ａ，ｂ）のそれぞれの直線縁３９間の巾は、キャップＢの側筒壁８下端に設けた一対のガイド溝１５の溝底面に沿って摺動するよう溝底面の間隔にほぼ一致しており、操作部材Ｄは、ガイド溝１５によって左右方向に案内摺動されるようになっている。
【００１６】
押圧板３１（ａ，ｂ）は、摺動板３８より下方に延びており、その内側の円弧面４１（ａ，ｂ）の径はそれぞれキャップＢの嵌着筒４の外周円の径とほぼ一致しており、操作部材Ｄの左右動の範囲が規制されるようにしている。
天板３３の円弧縁３２の円弧の径は、閉蓋筒Ｃの側筒壁２１の外周面の径とほぼ一致している。
【００１７】
次に、図６，７を参照して、注出容器の使用時の作用効果について説明する。図６（ａ）に示すように、操作部材Ｄが左側のストロークエンドに位置しているときは、突出ピン２５が傾斜ガイド３５の傾斜部３７の下端に係合して閉蓋筒Ｃの下端に位置し、注出口Ｘは閉鎖されている。
【００１８】
操作部材Ｄを右方向に移動させると、傾斜ガイド３５の傾斜部３７が右動し、突出ピン２５を押し上げるよう作用するので閉蓋筒Ｃが上昇する。
操作部材Ｄが図６（ｂ）に示すように右側のストロークエンドに達すると、突出ピン２５は傾斜部３７の終端、垂直部３６に係合し、操作部材Ｄのそれ以上の右動が妨げられ、閉蓋筒Ｃの上昇が停止される。
そして、閉蓋筒Ｃが最上昇位置に維持され、注出口Ｘが開口される。
【００１９】
図７（ａ）に示すように、操作部材Ｄが右側のストロークエンドにあるときには、摺動板３８の円弧縁４０は、ガイド溝１５に対応しており、円弧縁４０の円弧の径は、側筒壁８下端外周の径とほぼ等しい遊嵌状態になっているので、操作部材Ｄを廻動させることができる。
【００２０】
操作部材Ｄを、図７（ｂ）に示すように廻動させると、円弧縁４０の端部４２は、ガイド溝１５から離れ、側筒壁８下端の円周に対応する位置に来る。
そのときに、操作部材Ｄを左方に押すと、円弧縁の端部４２は、側筒壁８の外周面に衝突し、左動することが阻止される。
そのことによって、傾斜ガイド３５と突出ピン２５の相対位置は変わらず、注出口Ｘの開口状態が維持される。
【００２１】
したがって、容器の使用時には、操作部材Ｄの押圧板３１（ａ，ｂ）を押圧し、操作部材Ｄを左右動させることによって閉蓋筒Ｃを上下動させ、注出口Ｘを開閉することができ、また、注出口Ｘの開口時に、操作部材Ｄを廻動させると、操作部材Ｄの左右動が阻止されるので、注出口Ｘの開口状態を維持するとともに操作部材Ｄの妨動を防ぐことができる。
【００２２】
前記実施形態では、キャップＢを容器Ａに取着するにあたって、容器口部２外周とキャップＢの嵌着筒４内周とにそれぞれネジ３，７を設け、キャップＢを容器Ａに螺着するようにしているが、容器口部２外周と嵌着筒４内周とにそれぞれ嵌合突条を設け、打栓によって嵌着するようにしてもよい。
【００２３】
【発明の効果】
本発明は、上記のように構成されているから、次の効果を奏する。
操作部材によって開閉蓋を上下動するようにしたから、注出時に液だれした内容物が閉蓋筒の表面に付着していても、手が汚れることがない。
また、注出時に操作部材の妨動を防ぐことができ、注出口の開口状態を維持することができる。
注出容器を飲料用の注出容器とする場合には、直接注出口から吸飲するようにしても、汚れた手指で閉蓋筒に触れることがないので、衛生的である。
【図面の簡単な説明】
【図１】本発明の注出容器の斜視図である。
【図２】注出容器の一部断面正面図である。
【図３】容器を除く平面図である。
【図４】キャップと閉蓋筒を示す図で、（ａ）は閉蓋筒の一部を破断した平面図、（ｂ）は一部断面図である。
【図５】操作部材の説明図で、（ａ）は平面図、（ｂ）は 図（ａ）のＡ−Ａ線における断面正面図、（ｃ）は図（ｂ）のＢ−Ｂ線における断面側面図である。
【図６】注出口開閉の説明図で、（ａ）は閉鎖時、（ｂ）は開蓋時を示す説明図である。
【図７】図６のＡ−Ａ線における平面図を示す図で、（ａ）は閉鎖時、（ｂ）は操作部材の廻動時を示す説明図である。
【符号の説明】
Ａ            容器
Ｂ            キャップ
Ｃ            閉蓋筒
Ｄ            操作部材
Ｘ            注出口
２            容器口部
４            嵌着筒
６            注出筒
８            側筒壁
１１            係合突条
１２            支持杆
１３            栓部材
１５            ガイド溝
２０            頂壁
２１            側筒壁
２２            開口
２３            段部
２４            膨出部
２５            突出ピン
２６            係止突条
３０ａ，ｂ      側板
３１ａ，ｂ      押圧板
３３ａ，ｂ      天板
３４ａ，ｂ      内側面
３５ａ，ｂ      傾斜ガイド
３６            垂直部
３７            傾斜部
３８ａ，ｂ      摺動板
３９            直線縁
４０            円弧縁
【図１】
0003798093.tif 000002
【図２】
0003798093.tif 000003
【図３】
0003798093.tif 000004
【図４】
0003798093.tif 000005
【図５】
0003798093.tif 000006
【図６】
0003798093.tif 000007
【図７】
0003798093.tif 000008